(57)【特許請求の範囲】
【請求項１】
加熱ヒーターを備え気化ガスと燃焼空気とを予混合する有底筒状の気化筒と、該気化筒の下部周壁にのぞませた噴霧ノズルと、該噴霧ノズルを内設し気化筒下部に設けた一次空気流入口と、上壁に複数の小孔から成る主炎孔を形成し前記気化筒の上部開口に覆着した有天筒状のバーナヘッドと、中央に開口部分が下方に向かって形成された開口突起部が気化筒内に位置するように配置された整流筒と、バーナヘッド内に位置し整流筒と内方が連通するように対向して備えられ、上面には予混合気に反時計回りの旋回を与える旋回羽根を形成した帽子状の第二整流筒と、バーナヘッドの主炎孔より噴き出す予混合気を点火する点火プラグとを備えた燃焼装置に於いて、前記点火プラグは噴霧ノズルに対向する気化筒内の壁面の真上から反時計回りでやや噴霧ノズル側に寄った位置に設けたことを特徴とする燃焼装置。
【発明の詳細な説明】
【技術分野】
【０００１】
この発明は、石油を燃料とする燃焼装置に関するものである。
【背景技術】
【０００２】
従来からこの種のものに於いては、図５に示すように気化筒１０１の上部開口に設けた有天筒状のバーナヘッド１０２の上壁外周に、複数の小孔から成る主炎孔１０３を形成すると共に、バーナヘッド１０２の周壁に複数の横長孔から成る補助炎孔１０４を形成し、主燃焼は主炎孔１０３で行いながら、バーナヘッド１０２外周の保炎リング１０５を介しての気化筒１０１へのヒートバックを補助炎孔１０４の火炎で行っていた。
【０００３】
またバーナヘッド１０２内の第二整流筒１０６の上面に気化筒１０１とバーナヘッド１０２との間に気化ガスと燃焼空気との混合を促進する旋回羽根１０７を設けることで、気化ガスは旋回羽根１０７の向きによって旋回しながら上昇し、バーナヘッド１０２の上壁の主炎孔１０３から旋回しながら吹き出した気化ガスを、バーナヘッド１０２上部に設けた点火プラグ１０８で着火するものであった。（例えば、特許文献１参照。）
【先行技術文献】
【特許文献】
【０００４】
【特許文献１】特開２００４−３４０３９６号公報
【発明の概要】
【発明が解決しようとする課題】
【０００５】
ところでこの従来のものでは、気化筒１０１内に設けられている一次空気流入口１０９のほぼ中央に噴霧ノズル１１０が設けられており、この噴霧ノズル１１０から噴霧された燃油は、噴霧された方向の先の気化筒１０１内面に接触して加熱されて気化し、一次空気流入口１０９から気化筒１０１内に流入した一次空気と混合して気化ガスとなり上昇するが、気化ガスはバーナヘッド１０２の上壁の噴霧ノズル１１０側の主炎孔１０３よりもバーナヘッドの上壁の噴霧ノズル１１０の対向側の主炎孔１０３から噴き出し始めるため、図６に示すようにバーナヘッド１０２上壁外周に形成された主炎孔１０３から噴き出す気化ガスに着火する点火プラグ１０８が、バーナヘッド１０２上部で噴霧ノズル１１０と同じ位置に設けられていると、着火動作を開始してから着火されるまでの着火時間がかかり、また点火プラグ１０８の下方の主炎孔１０３から気化ガスが噴き出す時には、既に点火プラグ１０８の反対側の主炎孔１０３から気化ガスが噴き出しており、着火する時にはバーナヘッド１０２の上方には未燃ガスが溜まっていてそれが一気に引火してしまうので、着火音が大きくなったり、着火圧が大きくなるという問題があった。
【課題を解決するための手段】
【０００６】
この発明はこの点に着目し上記課題を解決する為、特にその構成を、加熱ヒーターを備え気化ガスと燃焼空気とを予混合する有底筒状の気化筒と、該気化筒の下部周壁にのぞませた噴霧ノズルと、該噴霧ノズルを内設し気化筒下部に設けた一次空気流入口と、上壁に複数の小孔から成る主炎孔を形成し前記気化筒の上部開口に覆着した有天筒状のバーナヘッドと、中央に開口部分が下方に向かって形成された開口突起部が気化筒内に位置するように配置された整流筒と、バーナヘッド内に位置し整流筒と内方が連通するように対向して備えられ、上面には予混合気に反時計回りの旋回を与える旋回羽根を形成した帽子状の第二整流筒と、バーナヘッドの主炎孔より噴き出す予混合気を点火する点火プラグとを備えた燃焼装置に於いて、前記点火プラグは噴霧ノズルに対向する気化筒内の壁面の真上から反時計回りでやや噴霧ノズル側に寄った位置に設けたものである。
【発明の効果】
【０００７】
この発明によれば、加熱ヒーターを備え気化ガスと燃焼空気とを予混合する有底筒状の気化筒と、該気化筒の下部周壁にのぞませた噴霧ノズルと、該噴霧ノズルを内設し気化筒下部に設けた一次空気流入口と、上壁に複数の小孔から成る主炎孔を形成し前記気化筒の上部開口に覆着した有天筒状のバーナヘッドと、中央に開口部分が下方に向かって形成された開口突起部が気化筒内に位置するように配置された整流筒と、バーナヘッド内に位置し整流筒と内方が連通するように対向して備えられ、上面には予混合気に反時計回りの旋回を与える旋回羽根を形成した帽子状の第二整流筒と、バーナヘッドの主炎孔より噴き出す予混合気を点火する点火プラグとを備えた燃焼装置に於いて、前記点火プラグは噴霧ノズルに対向する気化筒内の壁面の真上から反時計回りでやや噴霧ノズル側に寄った位置に設けたので、前記点火プラグは噴霧ノズルに対向する気化筒内の壁面の真上よりも予混合気の旋回側の位置に設けたので、バーナヘッドの上壁外周に設けた主炎孔から最初に噴き出す予混合気に着火することで着火時間の短縮を行うことができ、それによりバーナヘッドの上方に未燃ガスが溜まらず、溜まった未燃ガスに一気に引火して大きい着火音が発生したり、着火圧が大きくなるのを防止することができるものである。
【図面の簡単な説明】
【０００８】
【図１】この発明の一実施形態を示す燃焼装置の要部断面図。
【図２】同要部平面図。
【図３】同整流筒及び第二整流筒の正面図。
【図４】同整流筒の平面図。
【図５】従来の燃焼装置の要部断面図。
【図６】同要部平面図。
【発明を実施するための形態】
【０００９】
次に、本発明に係る発明の１実施形態を図面に基づいて説明する。
１は有底筒状の気化筒で、上部周壁にはシーズヒーターから成る加熱ヒーター２が鋳込まれ、下部に備えたサーミスタから成る温度センサー３による通電制御で２２０℃〜２５０℃に保持され、該温度センサー３とは反対側の下部周壁にのぞませた噴霧ノズル４から供給される燃油を気化ガスとすると共に、前記噴霧ノズル４を内設し気化筒１下部に設けた一次空気流入口５から供給される燃焼空気とを予混合するものである。
【００１０】
６は前記気化筒１の上部開口に覆着した有天筒状のバーナヘッドで、上壁には複数の小孔から成る主炎孔７が形成されると共に、周壁には複数の横長孔から成る補助炎孔８が形成されており、主燃焼は主炎孔７で行いながら、バーナヘッド６外周の保炎リング９を介しての気化筒１へのヒートバックは補助炎孔８の火炎で行うものである。
【００１１】
１０は整流筒で、中央の開口部分が下方に向かって一体絞りされて形成された開口突起部１１が気化筒１内に位置するように配置され、該開口突起部１１の上方の開口部分は、外側の第１鍔部１２と該第１鍔部１２より低い内側の第２鍔部１３の二段の鍔状部分により鍔状部１４が形成されているものである。
【００１２】
１５はバーナヘッド６内に位置し整流筒１０と内方が連通するように対向して備えられた帽子状の第二整流筒で、上面には反時計回りの旋回を与える旋回羽根１６を切り起こしで形成しており、１７はバーナヘッド６内で混合ガスを補助炎孔８に案内する案内板であり、１８はバーナヘッド６より噴き出す予混合気を点火する点火プラグである。
【００１３】
次にこの発明一実施例の燃焼作動について説明する。
運転スイッチ（図示せず）のＯＮ操作で気化筒１内の加熱ヒーター２に通電されて予熱を開始し、気化筒１の温度が所定温度に上昇すると、噴霧ノズル４から燃油を噴霧して噴霧ノズル４に対向する気化筒１内の壁面に衝突させて気化させると共に、一次空気流入口５から気化筒１内に燃焼空気が供給されることにより、燃料の気化ガスと燃焼用空気が気化筒１内で予め混合されて予混合気となる。
【００１４】
予混合気は気化筒１内の底部付近から上昇するが、その多くは図１の太点線で示すように、燃油が衝突する噴霧ノズル４に対向する気化筒１内の壁面の真上側に流れる。
【００１５】
そして第二整流筒１５の上面に形成された旋回羽根１６により上昇してきた予混合気に反時計回りの旋回を与えるので、予混合気はバーナヘッド６の上壁外周に設けた主炎孔７で燃油が衝突する噴霧ノズル４に対向する気化筒１内の壁面の真上よりも旋回側の主炎孔７より噴き出し始めるものである。
【００１６】
そして燃油が衝突する噴霧ノズル４に対向する気化筒１内の壁面の真上よりも旋回側の位置に設けた点火プラグ１８が着火動作を行うことにより、バーナヘッド６の上壁外周に設けた主炎孔７から噴き出しはじめの予混合気を着火することが出来るものである。
【００１７】
これによりバーナヘッド６の上壁外周に設けた主炎孔７から最初に噴き出す予混合気にを着火することで着火時間の短縮を行うことができ、それによりバーナヘッド６の上方に未燃ガスが溜まらず、溜まった未燃ガスに一気に引火して大きい着火音が発生したり、着火圧が大きくなるのを防止することができるものである。
【符号の説明】
【００１８】
１  気化筒
２  加熱ヒーター
４  噴霧ノズル
５  一次空気流入口
６  バーナヘッド
７  主炎孔
１０  整流筒
１１  開口突起部
１５  第二整流筒
１６  旋回羽根
１８  点火プラグ
【図１】
0005723227.tif 000002
【図２】
0005723227.tif 000003
【図３】
0005723227.tif 000004
【図４】
0005723227.tif 000005
【図５】
0005723227.tif 000006
【図６】
0005723227.tif 000007